(57)【特許請求の範囲】
【請求項１】
塵芥などの廃棄物（Ｗ）を搬送コンベア（Ｃ）より成形機（Ｍ）まで運ぶ間に、その廃棄物（Ｗ）に水分吸収剤供給機（Ｓ）の散布ノズル（１４）から水分吸収剤を散布するようにした廃棄物の固形化処理装置において、
前記廃棄物は、前記搬送コンベア（Ｃ）の搬出部（１ｏ）から投下通路（８）を通して前記成形機（Ｍ）に投下されるようにし、前記散布ノズル（１４）は、前記投下通路（８）の途中に設けられていて、その噴出口は、投下通路（８）内に、その投下通路（８）に略直交して開口されていることを特徴とする、廃棄物の固形化処理装置。
【発明の詳細な説明】
【０００１】
【発明の属する技術分野】
本発明は、塵芥などの可燃の廃棄物を脱水処理してから燃料などに供するべく固形化処理するようにした、廃棄物の固形化処理装置に関するものである。
【０００２】
【従来の技術】
従来、前記廃棄物の固形化処理装置として、図４に示すものが知られている。
【０００３】
このものでは、廃棄物Ｗ′を搬送するコンベアＣ′の上方に、水分吸収剤供給機Ｓ′を配設し、その水分吸収剤供給機Ｓ′の散布ノズル０１４から噴出される消石灰などの水分吸収剤を、搬送コンベアＣ′上の廃棄物Ｗ′に散布してそこから水分を除去しつつ搬送して、成形機Ｍ′に投入し、乾燥固化した廃棄物Ｗ′をペレット状に成形して燃料として再利用するようにしている。
【０００４】
【発明が解決しようとする課題】
ところで、前記従来の廃棄物の固形化処理装置では、搬送コンベア上の廃棄物に、その上方から消石灰などの水分吸収剤を散布するようにしているので、
ａ．その搬送コンベアのコンベア本体やそのガイド部材などの付属機器にその水分吸収剤が付着してしまい、その清掃が困難になる。
【０００５】
ｂ．搬送コンベア上に、塊状をなして載置される廃棄物上には、その表面にしか水分吸収剤が付着されず（搬送コンベアと接触している側は水分吸収剤が付着されない）、廃棄物の内部の水分は十分に吸収されずに残ってしまい、成形機により固化処理して燃料として再使用すべく、貯蔵しておく間に、その固化処理した廃棄物が腐敗してしまう。
【０００６】
という問題がある。
【０００７】
本発明は、かかる実情に鑑みてなされたもので、廃棄物が搬送コンベアから成形機に落下していく途中で、廃棄物の流れ方向に略直交して、該廃棄物に水分吸収剤を散布することにより、搬送コンベアを汚損することなく、しかも廃棄物の水分を水分吸収剤により確実に除去できるようにした、新規な廃棄物の固形化処理装置を提供することを目的とするものである。
【０００８】
【課題を解決するための手段】
上記目的を達成するため、本請求項１記載の発明によれば、塵芥などの廃棄物を搬送コンベアより成形機まで運ぶ間に、その廃棄物に水分吸収剤供給機の散布ノズルから水分吸収剤を散布するようにした廃棄物の固形化処理装置において、
前記廃棄物は、前記搬送コンベアの搬出部から投下通路を通して前記成形機（Ｍ）に投下されるようにし、前記散布ノズルは、前記投下通路の途中に設けられていて、その噴出口は、投下通路内に、その投下通路に略直交して開口されていることを特徴としており、かかる特徴によれば、水分吸収剤が、廃棄物の流れ方向に略直交して散布されるため、搬送コンベアが水分吸収剤により汚損されることがなく、また、廃棄物中の水分を確実に吸収除去して、固形化処理した後の、廃棄物が、その貯蔵中に腐敗することがなく、長期間の貯蔵あとでも、燃料として再利用することができる。
【０００９】
【発明の実施の形態】
本発明の実施の形態を、添付図面に例示した本発明の実施例に基づいて、以下に具体的に説明する。
【００１０】
図１は、本発明廃棄物の固形化処理装置の全体側面図、図２は、図１の２線矢視の仮想線囲い部分の拡大断面図、図３は、図２の３−３線に沿う断面図である。
【００１１】
図１において、図示しない架台に支持される、廃棄物Ｗの搬送コンベアＣは、無端状のコンベア本体１が駆動部２と案内部３間を懸回されており、図１に矢印に示す方向に移送駆動され、その搬入部１ｉから搬出部１ｏにおよぶ全長が密閉状のコンベアカバー４により覆われている。搬送コンベアＣの搬入部１ｉ上方の、コンベアカバー４の基端部には、廃棄物Ｗの搬入口５が開口され、この搬入口５から、図示しないサイクロンにより分別された、塵芥などの可燃性の廃棄物Ｗが、搬送コンベアＣの搬入部１ｉ上に投下される。また、搬送コンベアＣの搬出部１ｏ下方のコンベアカバー４の先端部には、廃棄物Ｗの搬出口６が開口され、この搬出口６に、廃棄物Ｗの投下通路８の入口８ｉが連通され、この入口８ｉに、前記搬送コンベアＣの搬出部１ｏが臨んでいる。前記廃棄物Ｗの投下通路８は、上下方向に延びており、その下端の出口８ｏは、廃棄物Ｗをペレット状に固化成形する、後述の成形機Ｍのホッパ１８に連通されている。搬送コンベアＣにより搬送される廃棄物Ｗは、その搬出部１ｏより投下通路８に投下されるが、その際に、塊状の廃棄物Ｗは、空中に放り出されてばらばらに砕けて投下通路８内を落下する。
【００１２】
前記投下通路８の途中には、水分吸収剤供給機すなわち消石灰供給機Ｓが配設されている。この消石灰供給機Ｓは、消石灰タンク１０と、そのタンク１０内の多孔底板１０ａの下部に形成される攪拌室１１に連通されるコンプレッサ１２と、前記攪拌室１１の出口に連通されるポンプ１３と、このポンプ１３を駆動するモータ１５と、このポンプ１３の吐出口に接続される散布ノズル１４とを備えており、この散布ノズル１４は、前記投下通路８の途中に設けられていて、その噴出口は、投下通路８内に、その通路８に略直交して開口されている。攪拌室内１１では、コンプレッサ１２からのドライエアと、消石灰タンク１０から多孔底板１０ａを通して落下してくる消石灰とを混合して、その消石灰を流動化させ、その流動化した消石灰は、ポンプ１３の駆動により、散布ノズル１４より、投下通路８内に噴出される。
【００１３】
なお、投下通路８の途中に設けられる散布ノズル１４は、単一でも複数でもよく、複数の場合は、投下通路８の周方向に間隔をあけて設ける。この場合投下通路８の縦方向にずらしてもよい。
【００１４】
消石灰は、廃棄物Ｗ中の水分と化学反応して、その水分の蒸発を促進する機能を有しており、廃棄物Ｗの水分吸収剤として広く使用されている。
【００１５】
ところで、搬送コンベアＣ上を、塊状のまま搬送される可燃性の廃棄物Ｗは、その搬出部１ｏより、投下通路８に投下され、その投下通路８内を重力により流れ落ちる。このとき、塊状の廃棄物Ｗは、ばらばらに砕けて分散され、投下通路８内を通過する。
【００１６】
一方、ドライエアの混合された消石灰は、流体状となって散布ノズル１４より、廃棄物Ｗの流れ方向に略直交して投下通路８内に噴出され、投下通路８内を落ちてくる廃棄物Ｗに散布されてそこに付着する。この場合、廃棄物Ｗは、前述したように、ばらばらに砕けていることにより、消石灰が、その廃棄物Ｗの周囲全体に万遍なく付着し、さらにその内部にまで入り込んで、廃棄物Ｗに含まれる水分を効率よく蒸発、吸収させることができる。
【００１７】
また、散布ノズル１４より噴出される消石灰は、搬送コンベアＣやその付属機器に付着することがないため、それらの清掃が困難になることがない。
【００１８】
上下方向に延びる投下通路８の下端の出口８ｏには、水分を除去された廃棄物Ｗをペレット状に固化成形する成形機Ｍが配設される。この成形機Ｍは、図２，３に示すように、成形機本体１６と、これを駆動するモータ１７とを備えており、成形機本体１６の入口には、前記投下通路８の出口８ｏに連通されるホッパ１８が設けられて、その投下通路８を落下してくる廃棄物Ｗを受け入れるようになっている。成形機本体１６は、前記モータ１７により駆動される駆動軸１９と、この駆動軸１９とはずれた回転軸線まわりに回転自在なダイ２０と、このダイ２０を回転自在に保持する保持手段２１と、前記駆動軸１９の他端に固定されると共にダイ２０の内面に当接する押圧ローラ２２とを備えており、成形機本体１６は、架台３３上に固定されている。
【００１９】
前記ダイ２０の内面には、内歯２３が刻設されており、その内歯２３の谷には、ダイ２０の内面および外面間にわたって複数のダイ孔２４が形成されており、これらのダイ孔２４は、ダイ２０の半径方向に沿って次第に小径になっている。前記保持手段２１は、前記ダイ２０に外接するように周方向に間隔をあけて配置される３つの外接ローラ２５からなり、各外接ローラ２５は、成形機本体１６に支持された軸２６に回転自在に支持されている。そして各外接ローラ２５は、ダイ２０の回転に応じて各軸２６まわりに回転しながらダイ２０を保持する。押圧ローラ２２は、ダイ２０内で駆動軸１９の他端に固定されており、この押圧ローラ２２には、ダイ２０の内面に噛合する外歯２８が刻設される。したがって、駆動軸１９と一体に回転する押圧ローラ２２で、ダイ２０が回転される。ダイ２０内で、成形機本体１６には、カッタ２９が固定され、このカッタ２９の刃先は、ダイ２０の外面との間に一定の間隔をあけた位置に配置される。
【００２０】
また、成形機本体１６には、カバー３０が固定され、このカバー３０の上部に前記ホッパ１８に連通するシュート３１が設けられ、このシュート３１はダイ２０内に臨んでおり、そのカバー３０の下部には排出口３２が設けられる。
【００２１】
前記投下通路８を落下し、噴出ノズル１４からの消石灰の付着により水分を脱水処理された、塵芥などの可燃性の廃棄物Ｗは、ホッパ１８内に供給される。一方、成形機Ｍはモータ１７の駆動による駆動軸１９の回転で、押圧ローラ２２が回転され、さらにダイ２０が回転される。廃棄物Ｗは押圧ローラ２２とダイ２０との間に噛み込まれ、ダイ２０の内歯２３の谷からダイ孔２４内に押し込まれる。この廃棄物Ｗのダイ孔２４への押込みは、ダイ２０が１回転するごとに順次行われ、廃棄物Ｗはダイ２０の半径方向に沿ってダイ孔２４内を外方へと移動していき、ダイ２０の外面から押し出される。このとき、ダイ２０の外面から突出した分は、ダイ２０の回転に応じてカッタ２９により順次切断されてペレット状に固化成形される。
【００２２】
しかして、ペレット状に固化成形された廃棄物Ｗは、前述したように消石灰により、十分に脱水処理されているので、その貯蔵中に腐敗する心配がなく、したがって、この廃棄物Ｗは長期にわたり貯蔵した後でも、燃料として有効に再利用することができる。
【００２３】
以上、本発明の実施例について説明したが、本発明はその実施例に限定されることなく、本発明の範囲内で種々の実施例が可能である。
【００２４】
たとえば、前記実施例では、水分吸収剤として、消石灰を使用しているが、これに代えて従来公知の、他の水分吸収剤を用いてもよいことは勿論であり、また、前記成形機に代えて他の従来公知の成形機を使用してもよい。
【００２５】
【発明の効果】
以上のように本請求項１記載の発明によれば、廃棄物の固形化処理装置において、前記廃棄物は、前記搬送コンベアの搬出部から投下通路を通して前記成形機に投下されようにし、前記投下通路には、散布ノズルがそこを流れる廃棄物の流れ方向に略直交して配置されるので、搬送コンベアは水分吸収剤により汚損されることがなく、その清掃が困難になることがなく、また、廃棄物中に含まれる水分を確実に吸収除去して、固形成形した廃棄物が、その貯蔵中に腐敗することがなく、長期にわたり、燃料として再利用することができる。
【図面の簡単な説明】
【図１】  廃棄物の固形化処理装置の全体側面図
【図２】  図１の２矢視の仮想線囲い部分の拡大断面図
【図３】  図２の３−３線に沿う断面図
【図４】  従来の廃棄物の固形化処理装置の全体側面図
【符号の説明】
１ｏ・・・・・・搬出部
８・・・・・・・投下通路
１４・・・・・・散布ノズル
Ｃ・・・・・・・搬送コンベア
Ｓ・・・・・・・水分吸収剤供給機（消石灰供給機）
Ｗ・・・・・・・廃棄物
【図１】
0003689288.tif 000002
【図２】
0003689288.tif 000003
【図３】
0003689288.tif 000004
【図４】
0003689288.tif 000005